(57)【要約】幅広テープ状の裾部材（１）を長尺方向に折り、裾部を挟持するように縫着した衣服の裾構造である。衣服本体とは別体とした裾部材（１）を衣服の裾部に縫着しておき、裾上げ時に縫着糸を解いて裾部材（１）を取り外し、着用者に合う長さに切った裾部を挟持するよう再び縫着して裾線を再形成するために、とくに縫製後に洗い加工等を施したデニム地のズボンやスカート、上衣等の衣服において用いることにより、着古した風合いを損なうことなく裾上げが行える。
2003101230.tif 000002
【特許請求の範囲】
【請求項１】
幅広テープ状の裾部材を長尺方向に折り、裾部を挟持するように縫着してなる衣服の裾構造。
【請求項２】
衣服が、縫製後に洗い加工が施されたデニム地のものである請求項１記載の衣服の裾構造。
【請求項３】
衣服の裾部に対する裾部材の縫着手段としてチェーンステッチを用いたことを特徴とする請求項１又は２いずれかに記載の衣服の裾構造。
【請求項４】
裾部材の縫着糸を解いて取り外し、着用者に合う長さに切った裾部を挟持するよう再縫着して裾線を形成することを特徴とする請求項１ないし３いずれかに記載した衣服の裾構造における裾上げ方法。
【発明の詳細な説明】
技術分野
この発明は、とくに縫製後に洗い加工等を施したズボンやスカート、上衣等の衣服において、風合いを損なうことなく裾上げを可能とするための裾構造と、該裾構造における裾上げ方法に関する。
背景技術
ズボンやスカートは、主としてウエストサイズを基準としたサイズ設定がなされているため、購入時等には着用者の脚の長さに合うように裾部分をカットして再縫製する、いわゆる裾上げ又は裾直しが行われている。第８図は、ジーンズＪにおける一般的な裾構造を示す部分拡大図であり、身頃Ｍの最下端に相当する裾８を内側に折り返して糸９で縫着固定したものである。このようなジーンズＪにおいて裾上げを行うには、着用者の脚の長さに折り返し代を加えて下端側を切除し、新たな裾部分を再度内側に折り返して元通りに縫着固定して仕上げていた。
ところで、新品のジーンズよりも洗い加工を施したジーンズが好まれるのは、着古した雰囲気のあるデニムの風合いが尊重されるからである。着古したジーンズの裾線付近には、生地が重なり合った状態で縫着された部分のみに特有の、斑にくすみ、あるいは摩擦で擦り切れたような風合いが見られるが、前記従来のように裾上げを行った場合には、このような特徴のある裾線付近を切り捨てることになってしまっていた。新たに縫製し直された裾線部分は、身頃における向こう脛部分などと同じく、裾線全周に亘ってほぼ均一な色落ちをした、不自然な仕上がりとならざるを得ない。そのため、需要者においてはこのような不自然な仕上がりを嫌ってジーンズの裾上げを行わず、いささか長すぎる裾のまま引きずるように履いたり、あるいは長い裾を外側に折り返して履いたりすることも多かった。
このような、長すぎる裾を引きずるように履くスタイルや、長い裾を外側に折り返して履くスタイルも、もちろんファッションの一つとして認識されているのではあるが、やはり風合いが損なわれないならば、自分の脚の長さに合った丈のジーンズを履きたいという要望は多かった。また、ジーンズの他にも、スカートの丈や、カジュアル上衣の裾や袖口など、せっかくの風合いが損なわれてしまうがために縫製直しを諦めるといったケースは少なくなかった。
従って、本発明は、こうした要望に鑑みてなされたものであり、縫製後に洗い加工等を施したズボンやスカート、上着等の衣服において、風合いを損なうことなく裾上げを可能とするための裾構造と裾上げ方法の提供を目的としている。
発明の開示
本発明では、衣服の裾構造として幅広テープ状の裾部材を長尺方向に折り、裾部を挟持するように縫着した構造を採用した。つまり、裾上げ後の風合いを元通りに復元するため、裾部材を再利用することにしたのである。
本発明にいう「衣服」にはズボンやスカートのほかにカジュアルな上衣なども含まれるのであり、こうした衣服の裾としてはズボンの裾やスカートの裾のほかに上衣の裾や袖口なども含まれる。また、裾部材としては衣服と異なる生地のものを用いることを排除するものではないが、好ましくは衣服と同じ生地のものが用いられる。
対象となる衣服が縫製後に洗い加工が施されたデニム地のものである場合に、より顕著に本発明の効果が得られる。つまり、ストーンウォッシュ等の物理的洗い加工や漂白剤を用いた化学的洗い加工など、各種洗い加工によって着古した風合いが与えられた衣服においては、身頃等を折り返して縫着した裾部分には擦り切れたような斑模様が付されているので、裾部材を再利用することで、裾直し後においてもこうした独特の風合いを維持することができるのである。
そして、衣服の裾部に対する裾部材の縫着手段としてチェーンステッチを用いておけば、裾上げ時に裾部材を取り外すときには前記チェーンステッチの終端部分からすべての縫合糸を引き抜くことができる。取り外して再利用する裾部材については、定法どおりに縫着すればよい。
以上のような衣服の裾構造においては、裾部材の縫着糸を解いて裾部材を衣服の裾から取り外し、着用者に合う長さに切った裾部を挟持するよう裾部材を再縫着して裾線を形成することで、元の風合いを保った裾上げ又は裾直し作業が完了する。裾部材の取り外し作業と、裾部の切断作業については優先順位がなく、裾部の切断作業後に裾部材の取り外し作業を行うことにしても、同様の効果が得られる。
発明を実施するための最良の形態
以下、図面に基づいて本発明を詳細に説明する。第１図（Ａ）（Ｂ）に示された例のジーンズＪは、左右の前身頃２，２と左右の後身頃３，３とをそれぞれ縫着してなるものである。図示されたジーンズＪにかぎらず、本発明は、全体的なデザインをはじめ脇部分や股部分のステッチ等についても様々なデザインが採用されたジーンズに適用できることは言うまでもない。
第２図に示されるように、本発明に係る衣服の裾構造では、幅広テープ状の裾部材１を用いて、該裾部材１を長尺方向に二つ折りし、さらに外側面１１と内側面１２の各端縁部を再度内側に折り返し、これをジーンズＪの裾に合わせて裾線を覆うように環状にして糸１３で縫着している。糸１３による縫着方法としては、一般的な本縫いステッチのほか、チェーンステッチが好適に用いられる。チェーンステッチを用いた場合、後述する裾部材１の取り外しの際には、ステッチの終端から引き抜くだけで抜糸が完了することになる。
第３図と第４図に示されるように、前身頃２と後身頃３との縫着方法にかかわらず、裾部に対して裾部材１を下側から被せて挟持させるように縫着することで、裾の縫製が完了する。ジーンズのようなデニム地を用いた衣服では、すべての縫製が完了した後に洗い加工を施すと、履き古されたような風合いが裾部材１にまで付加されるので、こうした裾部材１を再利用することによって風合いを損なわない裾上げが可能となるわけである。
ジーンズＪには、シルエットとして、膝下から裾に至るまで横幅がほとんど変わらないタイプや、膝下から裾に至るまでの横幅が次第に広くなるタイプ、逆に膝下から裾に至るまでの横幅が次第に狭くなるタイプがある。前２者のタイプでは、着用者の脚の長さに合うよう裾を切断した際には、新たな裾線部分の全周長さは元の裾線部分の全周長さに比して同じ長さか短くなるので、取り外した裾部材１を新たな裾線部分に再縫着することは何ら問題がない。しかし、膝下から裾に至るまで横幅が次第に狭くなるタイプでは、元の裾線部分の全周長さより新たな裾線部分の全周長さの方が長くなるので、取り外した裾部材１を新たな裾線部分に再縫着しようとすれば、裾部材１の長さが足りなくなる不都合が生じる。
したがって、こうしたタイプのジーンズにおいては、裾部材１には本来の裾線部分の全周長さより長いものを使用しつつ、余分な長さを吸収させるべく、長尺方向の両端部を重ね合わせて縫着しておくとよい。こうした裾部材１の重ね合わせ部分については、洗い加工を施しても内側に位置する端部は影響を受けず、所期の風合いが得られないのであるが、裾上げにおいて再縫着する際には、例えば洗い加工が施されなかった部分をジーンズの内股部分に位置させるなどすれば、風合いのない部分の存在もさほど目立たない。また、裾部の横幅については、前身頃と後身頃の縫着線部分において前記重ね縫いや割り縫いを用いることでも若干の横幅長さ調節は可能である。
さらに本発明に係る裾構造は、第５図（Ａ）（Ｂ）に示されるようなスカートＳの前身頃２と後身頃３の下端部分となる裾部を挟持するように裾部材１を縫着しておいたり、第６図（Ａ）（Ｂ）に示されるようなカジュアルジャケットＣの前身頃２と後身頃の下端部分となる裾部を挟持するように裾部材１を縫着しておいたり、あるいは、カジュアルジャケットＣにおける袖４の裾部となる袖口を挟持するように裾部材１を縫着固定しておくことによって、裾上げ、つまりスカートの丈上げや袖丈上げなどのサイズ直しを行った場合にも、衣服本来の風合いを損なわないようにすることができる。
次に、本発明に係る裾上げ方法の手順を第７図に従って説明する。前述したように、その裾部を挟持するように裾部材１を縫着固定したジーンズＪ（第７図では片足のみが図示されている）において、着用者の股下長さに合う位置Ｙ−Ｙ’で裾上げを行おうとする場合（Ａ）、先ずＹ−Ｙ’の位置で前身頃２や後身頃を切断し、切除された裾部２ｂから裾部材１を取り外す（Ｂ）。次いで、取り外した裾部材１を、前身頃２の新たな裾部２ａを挟持するように再縫着して裾線を形成することにより（Ｃ）、裾上げ（又は裾直し）作業が完了するのである。
産業上の利用可能性
本発明に係る衣服の裾構造では、衣服本体とは別体として縫着された裾部材を取り外すことにより、新たな裾線に再縫着して利用することができるので、裾上げ後の風合いを元通りに復元することができる。
とくに、対象となる衣服が縫製後に洗い加工が施されたデニム地のものである場合には、裾部材には各種洗い加工によって、着古した風合いを醸し出す擦り切れたような斑模様が付されているので、こうした風合いのある裾部材を再利用することで、裾直し後においてもデニム衣服に独特な風合いを維持することができる。
そして、衣服の裾部に対する裾部材の縫着手段としてチェーンステッチを用いておけば、裾部材を取り外す際にはステッチ終端部分からすべての縫合糸を引き抜くことができるので、取り外し作業がきわめて容易となる。
また、こうした裾構造においては、裾部材の縫着糸を解いて裾部材を衣服の裾から取り外し、着用者に合う長さに切った裾部を挟持するよう裾部材を再縫着して裾線を形成することで、元の風合いを保った裾上げ又は裾直し作業が簡単に行える利点がある。
【図面の簡単な説明】
第１図は、本発明に係る衣服の裾構造をジーンズに適用した場合の一例を示す正面図（Ａ）及び背面図（Ｂ）である。
第２図は、第１図中Ｘ−Ｘ線による部分拡大断面図である。
第３図は、前身頃と後身頃との縫着線を重ね縫いとした場合の部分拡大図である。
第４図は、前身頃と後身頃との縫着線を割り縫いとした場合の部分拡大図である。
第５図は、本発明に係る衣服の裾構造をスカートに適用した場合の一例を示す正面図（Ａ）及び背面図（Ｂ）である。
第６図は、本発明に係る衣服の裾構造をカジュアルジャケットに適用した場合の一例を示す正面図（Ａ）及び背面図（Ｂ）である。
第７図は、本発明に係る裾上げ方法の手順を示す工程図であり、ジーンズの片足において裾上げ位置Ｙ−Ｙ’を示す部分正面図（Ａ）、切除された裾部から裾部材を取り外す状態を示す部分正面図（Ｂ）、取り外した裾部材を新たな裾部に再縫着して裾線を形成した状態を示す部分正面図（Ｃ）である。
第８図は、ジーンズにおける従来の裾構造を示す部分拡大図である。
【図１】
2003101230.tif 000003
【図２】
2003101230.tif 000004
【図３】
2003101230.tif 000005
【図４】
2003101230.tif 000006
【図５】
2003101230.tif 000007
【図６】
2003101230.tif 000008
【図７】
2003101230.tif 000009
【図８】
2003101230.tif 000010
【国際調査報告】
2003101230.tif 000011
2003101230.tif 000012
2003101230.tif 000013
2003101230.tif 000014